(57)【要約】【課題】「Ｄｅｐｒｉｏｒｉｔｉｚａｔｉｏｎ」の機能において、「Ｓｅｒｖｉｃｅ  Ｒｅｑｕｅｓｔ」を継続すべきか否かについて判断する。【解決手段】本発明に係る移動局ＵＥにおいて、ＡＳ機能１１は、ＮＡＳ機能１２から受信した音声通信又はデータ通信用の「Ｓｅｒｖｉｃｅ  Ｒｅｑｕｅｓｔ」に応じて、無線基地局ｅＮＢとの間で「ＲＲＣ  Ｃｏｎｎｅｃｔｉｏｎ  Ｅｓｔａｂｌｉｓｈｍｅｎｔ手順」を行うように構成されており、ＮＡＳ機能１２は、ＡＳ機能１１における「ＲＲＣ  Ｃｏｎｎｅｃｔｉｏｎ  Ｅｓｔａｂｌｉｓｈｍｅｎｔ手順」において、他の無線アクセスネットワークへのセル変更が行われた場合には、上述の音声通信用の「Ｓｅｒｖｉｃｅ  Ｒｅｑｕｅｓｔ」を継続するように構成されている。【選択図】図３
2014138396.tif 000002
【特許請求の範囲】
【請求項１】
ＡＳ（Ａｃｃｅｓｓ  Ｓｔｒａｔｕｍ）機能及びＮＡＳ（Ｎｏｎ  Ａｃｃｅｓｓ  Ｓｔｒａｔｕｍ）機能を具備する移動局であって、
前記ＡＳ機能は、前記ＮＡＳ機能から受信した音声通信又はデータ通信用のサービス要求に応じて、無線基地局との間でコネクション設定手順を行うように構成されており、
前記ＮＡＳ機能は、前記ＡＳ機能における前記コネクション設定手順において、コネクション設定拒否信号を受信し、セル再選択手順の結果として、他の無線アクセスネットワークへのセル変更が行われた場合には、前記音声通信用のサービス要求を継続するように構成されていることを特徴とする移動局。
【請求項２】
前記ＮＡＳ機能は、前記ＡＳ機能における前記コネクション設定手順において、コネクション設定拒否信号を受信し、セル再選択手順の結果として、前記他の無線アクセスネットワークへのセル変更が行われた場合には、前記データ通信用のサービス要求を継続しないように構成されていることを特徴とする請求項１に記載の移動局。
【請求項３】
ＡＳ（Ａｃｃｅｓｓ  Ｓｔｒａｔｕｍ）機能及びＮＡＳ（Ｎｏｎ  Ａｃｃｅｓｓ  Ｓｔｒａｔｕｍ）機能を具備する移動局であって、
前記ＡＳ機能は、前記ＮＡＳ機能から受信した音声通信又はデータ通信用のサービス要求に応じて、無線基地局との間でコネクション設定手順を行うように構成されており、
前記ＮＡＳ機能は、前記ＡＳ機能における前記コネクション設定手順において、コネクション設定拒否信号を受信し、セル再選択手順の結果として、セル変更が行われた場合には、前記音声通信用のサービス要求を継続するように構成されていることを特徴とする移動局。
【請求項４】
前記ＮＡＳ機能は、前記ＡＳ機能における前記コネクション設定手順において、コネクション設定拒否信号を受信し、セル再選択手順の結果として、前記セル変更が行われた場合には、前記データ通信用のサービス要求を継続しないように構成されていることを特徴とする請求項３に記載の移動局。
【請求項５】
ＡＳ（Ａｃｃｅｓｓ  Ｓｔｒａｔｕｍ）機能及びＮＡＳ（Ｎｏｎ  Ａｃｃｅｓｓ  Ｓｔｒａｔｕｍ）機能を具備する移動局であって、
前記ＡＳ機能は、前記ＮＡＳ機能から受信したサービス要求に応じて、無線基地局との間でコネクション設定手順を行うように構成されており、
前記ＡＳ機能が、前記コネクション設定手順において、前記無線基地局によって現在の周波数の再選択優先度を下げるように指示された場合、前記ＮＡＳ機能は、前記サービス要求を継続しないように構成されていることを特徴とする移動局。
【請求項６】
ＡＳ（Ａｃｃｅｓｓ  Ｓｔｒａｔｕｍ）機能及びＮＡＳ（Ｎｏｎ  Ａｃｃｅｓｓ  Ｓｔｒａｔｕｍ）機能を具備する移動局であって、
前記ＡＳ機能は、前記ＮＡＳ機能から受信した音声通信又はデータ通信用のサービス要求に応じて、無線基地局との間でコネクション設定手順を行うように構成されており、
前記ＡＳ機能が、前記コネクション設定手順において、前記無線基地局によって現在の無線アクセスネットワークの全ての周波数の再選択優先度を下げるように指示された場合、前記ＮＡＳ機能は、前記音声通信用のサービス要求を継続するように構成されていることを特徴とする移動局。
【請求項７】
前記ＡＳ機能が、前記コネクション設定手順において、前記無線基地局によって現在の無線アクセスネットワークの全ての周波数の優先順位を下げるように指示された場合、前記ＮＡＳ機能は、前記データ通信用のサービス要求を継続しないように構成されていることを特徴とする請求項６に記載の移動局。
【請求項８】
ＡＳ（Ａｃｃｅｓｓ  Ｓｔｒａｔｕｍ）機能及びＮＡＳ（Ｎｏｎ  Ａｃｃｅｓｓ  Ｓｔｒａｔｕｍ）機能を具備する移動局であって、
前記ＡＳ機能は、前記ＮＡＳ機能から受信した音声通信又はデータ通信用のサービス要求に応じて、無線基地局との間でコネクション設定手順を行うように構成されており、
前記ＡＳ機能が、前記コネクション設定手順において、前記無線基地局によって現在の周波数或いは現在の無線アクセスネットワークの全ての周波数の再選択優先度を下げるように指示された場合で、かつ、コネクション設定拒否信号を受信し、セル再選択手順の結果として、セル変更が行われた場合には、前記ＮＡＳ機能は、前記音声通信用のサービス要求を継続するように構成されていることを特徴とする移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）のＲｅｌ-１１方式において、「Ｄｅｐｒｉｏｒｉｔｉｚａｔｉｏｎ」の機能の導入が合意された。
【０００３】
その結果、無線基地局ｅＮＢが、「ＲＲＣ  Ｃｏｎｎｅｃｔｉｏｎ  Ｒｅｊｅｃｔ」に「Ｄｅｐｒｉｏｒｉｔｉｚａｔｉｏｎ  Ｒｅｑｕｅｓｔ」を含めた場合、移動局ＵＥは、現在の周波数又はＲＡＴ（Ｒａｄｉｏ  Ａｃｃｅｓｓ  Ｔｅｃｈｎｏｌｏｇｙ）についての再選択優先度（ｒｅｓｅｌｅｃｔｉｏｎ  ｐｒｉｏｒｉｔｙ）を最低にしてセル再選択手順を行う。
【０００４】
なお、かかる「Ｄｅｐｒｉｏｒｉｔｉｚａｔｉｏｎ」の機能は、ＬＴＥ方式の無線アクセスネットワーク（ＬＴＥ方式の無線アクセスネットワークの一部の周波数）が輻輳したため、ＬＴＥ方式の無線アクセスネットワーク（ＬＴＥ方式の無線アクセスネットワークの一部の周波数）における新規の移動局ＵＥのＲＲＣコネクションの確立を回避しつつ、輻輳していない無線アクセスネットワーク（又は、ＬＴＥ方式の無線アクセスネットワークの一部の周波数）において、新規の移動局ＵＥに対するサービス提供を継続することを目的として導入された。
【先行技術文献】
【非特許文献】
【０００５】
【非特許文献１】３ＧＰＰ  ＴＳ３６.３３１
【発明の概要】
【発明が解決しようとする課題】
【０００６】
現在のＬＴＥ方式の規格では、「Ｓｅｒｖｉｃｅ  Ｒｅｑｕｅｓｔ」を含む「ＲＲＣ  Ｃｏｎｎｅｃｔｉｏｎ  Ｓｅｔｕｐ  Ｒｅｑｕｅｓｔ」が、「ＲＲＣ  Ｃｏｎｎｅｃｔｉｏｎ  Ｒｅｊｅｃｔ」によって拒絶され、「ＲＲＣ  Ｃｏｎｎｅｃｔｉｏｎ  Ｅｓｔａｂｌｉｓｈｍｅｎｔ手順」が失敗した場合、移動局ＵＥにおいて、ＡＳ（Ａｃｃｅｓｓ  Ｓｔｒａｔｕｍ）機能が、ＮＡＳ（Ｎｏｎ  Ａｃｃｅｓｓ  Ｓｔｒａｔｕｍ）機能に対して、「ＡＣＢ（Ａｃｃｅｓｓ  Ｃｌａｓｓ  Ｂａｒｎｉｎｇ）  ｆｏｒ  ＭＯ  Ｄａｔａ/ＭＯ  Ｓｉｇｎａｌｉｎｇ/ＭＴ  Ａｃｃｅｓｓ/ＭＯ  ｆｏｒ  ＣＳＦＢ」が適用されたことを通知し、ＮＡＳ機能が、以下の異常（ａｂｎｏｒｍａｌ）処理を行うように構成されていた。
【０００７】
すなわち、ＮＡＳ機能は、データ通信（Ｍｏｂｉｌｅ  ｏｒｉｇｉｎａｔｉｎｇ又はＰａｇｉｎｇ  ｒｅｓｐｏｎｓｅ）用の「Ｓｅｒｖｉｃｅ  Ｒｅｑｕｅｓｔ」を送信した場合、現在のセルに残り、通常のセル再選択を行うように構成されていた。
【０００８】
なお、かかる場合、ＮＡＳ機能は、上述の「Ｓｅｒｖｉｃｅ  Ｒｅｑｕｅｓｔ」を継続せず、必要に応じて、データ通信用の「Ｓｅｒｖｉｃｅ  Ｒｅｑｕｅｓｔ」を再発行することができる。
【０００９】
また、ＮＡＳ機能は、音声通信用の「Ｓｅｒｖｉｃｅ  Ｒｅｑｕｅｓｔ」を送信した場合、ＧＥＲＡＮ（ＧＳＭ  ＥＤＧＥ  Ｒａｄｉｏ  Ａｃｃｅｓｓ  Ｎｅｔｗｏｒｋ）又はＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）配下のセルに対するセル再選択手順を行い、ＣＳ（Ｃｉｒｃｕｉｔ  Ｓｗｉｔｃｈｉｎｇ）ドメインにおいて、かかる「Ｓｅｒｖｉｃｅ  Ｒｅｑｕｅｓｔ」を継続する。
【００１０】
しかしながら、現在のＬＴＥ方式の規格では、「Ｓｅｒｖｉｃｅ  Ｒｅｑｕｅｓｔ」を含む「ＲＲＣ  Ｃｏｎｎｅｃｔｉｏｎ  Ｓｅｔｕｐ  Ｒｅｑｕｅｓｔ」が、「Ｄｅｐｒｉｏｒｉｔｉｚａｔｉｏｎ  Ｒｅｑｕｅｓｔ」を含む「ＲＲＣ  Ｃｏｎｎｅｃｔｉｏｎ  Ｒｅｊｅｃｔ」によって拒絶され、「ＲＲＣ  Ｃｏｎｎｅｃｔｉｏｎ  Ｅｓｔａｂｌｉｓｈｍｅｎｔ手順」が失敗した場合、移動局ＵＥが「Ｓｅｒｖｉｃｅ  Ｒｅｑｕｅｓｔ」を継続するか否かについて規定されていないという問題点があった。
【００１１】
そこで、本発明は、上述の課題に鑑みてなされたものであり、「Ｄｅｐｒｉｏｒｉｔｉｚａｔｉｏｎ」の機能において、「Ｓｅｒｖｉｃｅ  Ｒｅｑｕｅｓｔ」を継続すべきか否かについて判断することができる移動局を提供することを目的とする。
【課題を解決するための手段】
【００１２】
本発明の第１の特徴は、ＡＳ機能及びＮＡＳ機能を具備する移動局であって、前記ＡＳ機能は、前記ＮＡＳ機能から受信した音声通信又はデータ通信用のサービス要求に応じて、無線基地局との間でコネクション設定手順を行うように構成されており、前記ＮＡＳ機能は、前記ＡＳ機能における前記コネクション設定手順において、コネクション設定拒否信号を受信し、セル再選択手順の結果として、他の無線アクセスネットワークへのセル変更が行われた場合には、前記音声通信用のサービス要求を継続するように構成されていることを要旨とする。
【００１３】
本発明の第２の特徴は、ＡＳ機能及びＮＡＳ機能を具備する移動局であって、前記ＡＳ機能は、前記ＮＡＳ機能から受信した音声通信又はデータ通信用のサービス要求に応じて、無線基地局との間でコネクション設定手順を行うように構成されており、前記ＮＡＳ機能は、前記ＡＳ機能における前記コネクション設定手順において、コネクション設定拒否信号を受信し、セル再選択手順の結果として、セル変更が行われた場合には、前記音声通信用のサービス要求を継続するように構成されていることを要旨とする。
【００１４】
本発明の第３の特徴は、ＡＳ機能及びＮＡＳ機能を具備する移動局であって、前記ＡＳ機能は、前記ＮＡＳ機能から受信したサービス要求に応じて、無線基地局との間でコネクション設定手順を行うように構成されており、前記ＡＳ機能が、前記コネクション設定手順において、前記無線基地局によって現在の周波数の再選択優先度を下げるように指示された場合、前記ＮＡＳ機能は、前記サービス要求を継続しないように構成されていることを要旨とする。
【００１５】
本発明の第４の特徴は、ＡＳ機能及びＮＡＳ機能を具備する移動局であって、前記ＡＳ機能は、前記ＮＡＳ機能から受信した音声通信又はデータ通信用のサービス要求に応じて、無線基地局との間でコネクション設定手順を行うように構成されており、前記ＡＳ機能が、前記コネクション設定手順において、前記無線基地局によって現在の無線アクセスネットワークの全ての周波数の再選択優先度を下げるように指示された場合、前記ＮＡＳ機能は、前記音声通信用のサービス要求を継続するように構成されていることを要旨とする。
【００１６】
本発明の第５の特徴は、ＡＳ機能及びＮＡＳ機能を具備する移動局であって、前記ＡＳ機能は、前記ＮＡＳ機能から受信した音声通信又はデータ通信用のサービス要求に応じて、無線基地局との間でコネクション設定手順を行うように構成されており、前記ＡＳ機能が、前記コネクション設定手順において、前記無線基地局によって現在の周波数或いは現在の無線アクセスネットワークの全ての周波数の再選択優先度を下げるように指示された場合で、かつ、コネクション設定拒否信号を受信し、セル再選択手順の結果として、セル変更が行われた場合には、前記ＮＡＳ機能は、前記音声通信用のサービス要求を継続するように構成されていることを要旨とする。
【発明の効果】
【００１７】
以上説明したように、本発明によれば、「Ｄｅｐｒｉｏｒｉｔｉｚａｔｉｏｎ」の機能において、「Ｓｅｒｖｉｃｅ  Ｒｅｑｕｅｓｔ」を継続すべきか否かについて判断することができる移動局を提供することができる。
【図面の簡単な説明】
【００１８】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【発明を実施するための形態】
【００１９】
（本発明の第１の実施形態に係る移動通信システム）
図１乃至図７を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２０】
図１に示すように、本実施形態に係る移動通信システムは、無線基地局ｅＮＢと、移動局ＵＥとを具備している。
【００２１】
ここで、本実施形態に係る移動通信システムは、「Ｄｅｐｒｉｏｒｉｔｉｚａｔｉｏｎ」の機能に対応可能である。
【００２２】
すなわち、本実施形態に係る移動通信システムでは、無線基地局ｅＮＢは、「Ｄｅｐｒｉｏｒｉｔｉｚａｔｉｏｎ  Ｒｅｑｕｅｓｔ」を含む「ＲＲＣ  Ｃｏｎｎｅｃｔｉｏｎ  Ｒｅｊｅｃｔ」を送信することができるように構成されている。
【００２３】
ここで、「Ｄｅｐｒｉｏｒｉｔｉｚａｔｉｏｎ  Ｒｅｑｕｅｓｔ」には、「Ｄｅｐｒｉｏｒｉｔｉｚａｔｉｏｎ（ｃｕｒｒｅｎｔ  ｆｒｅｑｕｅｎｃｙ）」や「Ｄｅｐｒｉｏｒｉｔｉｚａｔｉｏｎ（ＲＡＴ：ＬＴＥ）」等が含まれる。
【００２４】
図２に示すように、本実施形態に係る移動局ＵＥは、ＡＳ機能１１と、ＮＡＳ機能１２とを具備している。
【００２５】
ＡＳ機能１１は、ＮＡＳ機能１２から受信した音声通信（ＣＳＦＢ及びＩＭＳベースの音声通信（ＶｏＬＴＥ：Ｖｏｉｃｅ  ｏｖｅｒ  ＬＴＥ）を含む）又はデータ通信用の「Ｓｅｒｖｉｃｅ  Ｒｅｑｕｅｓｔ」に応じて、無線基地局ｅＮＢとの間で「ＲＲＣ  Ｃｏｎｎｅｃｔｉｏｎ  Ｅｓｔａｂｌｉｓｈｍｅｎｔ手順」を行うように構成されている。
【００２６】
また、ＡＳ機能１１は、「ＲＲＣ  Ｃｏｎｎｅｃｔｉｏｎ  Ｅｓｔａｂｌｉｓｈｍｅｎｔ手順」において「Ｄｅｐｒｉｏｒｉｔｉｚａｔｉｏｎ（ｃｕｒｒｅｎｔ  ｆｒｅｑｕｅｎｃｙ）」を含む「ＲＲＣ  Ｃｏｎｎｅｃｔｉｏｎ  Ｒｅｊｅｃｔ」を受信した場合、自信が保持しているセル再選択優先度のリスト（ｐｒｉｏｒｉｔｙ  ｌｉｓｔ）において現在の周波数（ｃｕｒｒｅｎｔ  ｆｒｅｑｕｅｎｃｙ）の優先度を最低にした後、かかるリストに基づいて、同一ＲＡＴ（ＬＴＥ）内或いは他のＲＡＴにおける他の周波数を対象にセル再選択手順を行うように構成されている。
【００２７】
また、ＡＳ機能１は、「ＲＲＣ  Ｃｏｎｎｅｃｔｉｏｎ  Ｅｓｔａｂｌｉｓｈｍｅｎｔ手順」において「Ｄｅｐｒｉｏｒｉｔｉｚａｔｉｏｎ（ＲＡＴ：ＬＴＥ）」を含む「ＲＲＣ  Ｃｏｎｎｅｃｔｉｏｎ  Ｒｅｊｅｃｔ」を受信した場合、自身が保持しているセル再選択優先度のリスト内のＬＴＥ方式の無線アクセスネットワーク（ＲＡＴ）の周波数の優先度を全て最低にした後、かかるリストに基づいて、セル再選択手順を行うように構成されている。
【００２８】
ここで、ＮＡＳ機能１２は、ＡＳ機能１１で行っているセル再選択手順の結果として、待ち受けセルが、ＬＴＥ方式の無線アクセスネットワーク内のセルからＵＭＴＳ方式の無線アクセスネットワーク内のセルに変更した場合、すなわち、ＡＳ機能１１から「Ｃｅｌｌ  ｃｈａｎｇｅ  ｔｏ  ｏｔｈｅｒ  ＲＡＴ」が通知された場合には、上述の音声通信用の「Ｓｅｒｖｉｃｅ  Ｒｅｑｕｅｓｔ」を継続するように構成されている。
【００２９】
すなわち、ＮＡＳ機能１２は、かかる場合、上述の音声通信用の「Ｓｅｒｖｉｃｅ  Ｒｅｑｕｅｓｔ」を破棄することなく、かかる音声通信用の「Ｓｅｒｖｉｃｅ  Ｒｅｑｕｅｓｔ」に基づいて、ＬＴＥ方式の無線アクセスネットワークからＵＭＴＳ方式の無線アクセスネットワークに早急に遷移することができ、音声通信について継続することができる。
【００３０】
ここで、ＮＡＳ機能１２は、ＡＳ機能１１で行っているセル再選択手順の結果として、ＡＳ機能１１から「Ｃｅｌｌ  ｃｈａｎｇｅ  ｔｏ  ｏｔｈｅｒ  ＲＡＴ」が通知された場合には、上述のデータ通信用の「Ｓｅｒｖｉｃｅ  Ｒｅｑｕｅｓｔ」を継続しないように構成されていてもよいし、上述のデータ通信用の「Ｓｅｒｖｉｃｅ  Ｒｅｑｕｅｓｔ」を継続するように構成されていてもよい。
【００３１】
また、ＮＡＳ機能１２は、ＡＳ機能１１で行っているセル再選択手順の結果として、待ち受けセルを同一のＲＡＴ（ＬＴＥ方式の無線アクセスネットワーク）内の異なるセルに変更した場合、すなわち、ＡＳ機能１１から「Ｃｅｌｌ  ｃｈａｎｇｅ」が通知された場合には、上述の音声通信用の「Ｓｅｒｖｉｃｅ  Ｒｅｑｕｅｓｔ」を継続するように構成されている。
【００３２】
すなわち、ＮＡＳ機能１２は、かかる場合、上述の音声通信用の「Ｓｅｒｖｉｃｅ  Ｒｅｑｕｅｓｔ」を破棄することなく、かかる音声通信用の「Ｓｅｒｖｉｃｅ  Ｒｅｑｕｅｓｔ」に基づいて、ＬＴＥ方式の無線アクセスネットワーク内の前のセルより輻輳レベルに低い異なるセルに遷移することができ、音声通信について継続することができる。
【００３３】
ここで、ＮＡＳ機能１２は、ＡＳ機能１１で行っているセル再選択手順の結果として、ＡＳ機能１１から「Ｃｅｌｌ  ｃｈａｎｇｅ」が通知された場合には、上述のデータ通信用の「Ｓｅｒｖｉｃｅ  Ｒｅｑｕｅｓｔ」を継続しないように構成されていてもよいし、上述のデータ通信用の「Ｓｅｒｖｉｃｅ  Ｒｅｑｕｅｓｔ」を継続するように構成されていてもよい。
【００３４】
また、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ｃｕｒｒｅｎｔ  ｆｒｅｑｕｅｎｃｙ）」を受信した場合、すなわち、無線基地局ｅＮＢによって現在の周波数の再選択優先度を下げるように指示された場合、ＮＡＳ機能１２は、上述の「Ｓｅｒｖｉｃｅ  Ｒｅｑｕｅｓｔ」を継続しないように構成されていてもよい。
【００３５】
かかる場合、移動局ＵＥは、上述の「Ｓｅｒｖｉｃｅ  Ｒｅｑｕｅｓｔ」を継続すると、同じＲＡＴの異なる周波数を対象にセル再選択手順を行ってしまう可能性が高いため、同じＲＡＴ内の異なる周波数のセルを選択することが考えられる。
【００３６】
その場合、かかるＲＡＴにおける輻輳状況が変わらない可能性が高いため、「Ｓｅｒｖｉｃｅ  Ｒｅｑｕｅｓｔ」を含む「ＲＲＣ  Ｃｏｎｎｅｃｔｉｏｎ  Ｒｅｑｕｅｓｔ」が再び拒否される可能性は高い。したがって、音声通信を継続することができなくても、一度、上述の「Ｓｅｒｖｉｃｅ  Ｒｅｑｕｅｓｔ」を破棄することが好ましい。
【００３７】
さらに、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ＲＡＴ：ＬＴＥ）」を受信した場合、すなわち、無線基地局ｅＮＢによって現在の無線アクセスネットワークの全ての周波数の再選択優先度を下げるように指示された場合、ＮＡＳ機能１２は、上述の「Ｓｅｒｖｉｃｅ  Ｒｅｑｕｅｓｔ」を継続しないように構成されている。
【００３８】
ここで、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ＲＡＴ：ＬＴＥ）」を受信した場合、すなわち、無線基地局ｅＮＢによって現在の無線アクセスネットワークの全ての周波数の再選択優先度を下げるように指示された場合、ＮＡＳ機能１２は、上述のデータ通信用の「Ｓｅｒｖｉｃｅ  Ｒｅｑｕｅｓｔ」を継続しないように構成されていてもよいし、上述のデータ通信用の「Ｓｅｒｖｉｃｅ  Ｒｅｑｕｅｓｔ」を継続するように構成されていてもよい。
【００３９】
以下、図３乃至図７を参照して、本実施形態に係る移動通信システムの動作例について説明する。
【００４０】
第１に、図３を参照して、本実施形態に係る移動通信システムの動作例１について説明する。
【００４１】
図３に示すように、ＮＡＳ機能１２は、音声通信用の「Ｓｅｒｖｉｃｅ  Ｒｅｑｕｅｓｔ」を送信した後、ステップＳ１００１において、ＡＳ機能１１で行っているセル再選択手順の結果として、待ち受けセルがＬＴＥ方式の無線アクセスネットワーク内のセルからＵＭＴＳ方式の無線アクセスネットワーク内のセルに変更された場合、ＡＳ機能１１から「Ｃｅｌｌ  ｃｈａｎｇｅ  ｔｏ  ｏｔｈｅｒ  ＲＡＴ」を受信し、ステップＳ１００２において、上述の音声通信用の「Ｓｅｒｖｉｃｅ  Ｒｅｑｕｅｓｔ」を継続する、すなわち、上述の音声通信用の「Ｓｅｒｖｉｃｅ  Ｒｅｑｕｅｓｔ」を破棄することなく、かかる音声通信用の「Ｓｅｒｖｉｃｅ  Ｒｅｑｕｅｓｔ」に基づいて、セル再選択手順の結果として選択されたＵＭＴＳ方式の無線アクセスネットワークのセルで、かかる「Ｓｅｒｖｉｃｅ  Ｒｅｑｕｅｓｔ」を送信する。
【００４２】
第２に、図４を参照して、本実施形態に係る移動通信システムの動作例２について説明する。
【００４３】
図４に示すように、ＮＡＳ機能１２は、音声通信用の「Ｓｅｒｖｉｃｅ  Ｒｅｑｕｅｓｔ」を送信した後、ステップＳ２００１において、ＡＳ機能１１で行っているセル再選択手順の結果として、待ち受けセルがＬＴＥ方式の無線アクセスネットワーク内の異なるセルに変更された場合、ＡＳ機能１１から「Ｃｅｌｌ  ｃｈａｎｇｅ  」を受信し、ステップＳ２００２において、上述の音声通信用の「Ｓｅｒｖｉｃｅ  Ｒｅｑｕｅｓｔ」を継続する、すなわち、上述の音声通信用の「Ｓｅｒｖｉｃｅ  Ｒｅｑｕｅｓｔ」を破棄することなく、かかる音声通信用の「Ｓｅｒｖｉｃｅ  Ｒｅｑｕｅｓｔ」に基づいて、上述のＬＴＥ方式の無線アクセスネットワーク内の異なるセルにおいて「Ｓｅｒｖｉｃｅ  Ｒｅｑｕｅｓｔ」を送信する。
【００４４】
第３に、図５を参照して、本実施形態に係る移動通信システムの動作例３について説明する。
【００４５】
図５に示すように、ＡＳ機能１１は、無線基地局ｅＮＢに対して、音声通信用の「Ｓｅｒｖｉｃｅ  Ｒｅｑｕｅｓｔ」を含む「ＲＲＣ  Ｃｏｎｎｅｃｔｉｏｎ  Ｓｅｔｕｐ  Ｒｅｑｕｅｓｔ」送信した後、ステップＳ３００１において、無線基地局ｅＮＢから、「Ｄｅｐｒｉｏｒｉｔｉｚａｔｉｏｎ（ｃｕｒｒｅｎｔ  ｆｒｅｑｕｅｎｃｙ）」を含む「ＲＲＣ  Ｃｏｎｎｅｃｔｉｏｎ  Ｒｅｊｅｃｔ」を受信すると、ステップＳ３００２において、ＮＡＳ機能１２に対して、その旨を通知する。
【００４６】
ステップＳ３００３において、ＮＡＳ機能１２は、かかる通知に応じて、上述の音声通信用の「Ｓｅｒｖｉｃｅ  Ｒｅｑｕｅｓｔ」を継続しない、すなわち、上述の音声通信用の「Ｓｅｒｖｉｃｅ  Ｒｅｑｕｅｓｔ」を破棄する。
【００４７】
その後、ＮＡＳ機能１２は、音声通信用の「Ｓｅｒｖｉｃｅ  Ｒｅｑｕｅｓｔ」を再発行してもよい。
【００４８】
第４に、図６を参照して、本実施形態に係る移動通信システムの動作例４について説明する。
【００４９】
図６に示すように、ＡＳ機能１１は、無線基地局ｅＮＢに対して、音声通信用の「Ｓｅｒｖｉｃｅ  Ｒｅｑｕｅｓｔ」を含む「ＲＲＣ  Ｃｏｎｎｅｃｔｉｏｎ  Ｓｅｔｕｐ  Ｒｅｑｕｅｓｔ」送信した後、ステップＳ４００１において、無線基地局ｅＮＢから、「Ｄｅｐｒｉｏｒｉｔｉｚａｔｉｏｎ（ＲＡＴ：ＬＴＥ）」を含む「ＲＲＣ  Ｃｏｎｎｅｃｔｉｏｎ  Ｒｅｊｅｃｔ」を受信すると、ステップＳ４００２において、ＮＡＳ機能１２に対して、その旨を通知する。
【００５０】
ステップＳ４００３において、ＮＡＳ機能１２は、かかる通知に応じて、上述の音声通信用の「Ｓｅｒｖｉｃｅ  Ｒｅｑｕｅｓｔ」を継続する、すなわち、上述の音声通信用の「Ｓｅｒｖｉｃｅ  Ｒｅｑｕｅｓｔ」を破棄することなく、かかる音声通信用の「Ｓｅｒｖｉｃｅ  Ｒｅｑｕｅｓｔ」に基づいて、ＵＭＴＳ方式の無線アクセスネットワーク内のセルに「Ｓｅｒｖｉｃｅ  Ｒｅｑｕｅｓｔ」を送信する。
【００５１】
第５に、図７を参照して、本実施形態に係る移動通信システムの動作例５について説明する。
【００５２】
図７に示すように、ＡＳ機能１１は、無線基地局ｅＮＢに対して、音声通信用の「Ｓｅｒｖｉｃｅ  Ｒｅｑｕｅｓｔ」を含む「ＲＲＣ  Ｃｏｎｎｅｃｔｉｏｎ  Ｓｅｔｕｐ  Ｒｅｑｕｅｓｔ」送信した後、ステップＳ５００１において、無線基地局ｅＮＢから、「Ｄｅｐｒｉｏｒｉｔｉｚａｔｉｏｎ（ｃｕｒｒｅｎｔ  ｆｒｅｑｕｅｎｃｙ）」又は「Ｄｅｐｒｉｏｒｉｔｉｚａｔｉｏｎ（ＲＡＴ：ＬＴＥ）」を含む「ＲＲＣ  Ｃｏｎｎｅｃｔｉｏｎ  Ｒｅｊｅｃｔ」を受信し、ステップＳ５００２において、セル再選択手順の結果として、待ち受けセルをＬＴＥ方式の無線アクセスネットワーク内のセルからＵＭＴＳ方式の無線アクセスネットワーク内のセルに変更した場合、或いは、待ち受けセルをＬＴＥ方式の無線アクセスネットワーク内の異なるセルに変更した場合、ステップＳ５００２において、ＮＡＳ機能１２に対して、その旨を通知する。
【００５３】
ステップＳ５００３において、ＮＡＳ機能１２は、かかる通知に応じて、上述の音声通信用の「Ｓｅｒｖｉｃｅ  Ｒｅｑｕｅｓｔ」を継続する、すなわち、上述の音声通信用の「Ｓｅｒｖｉｃｅ  Ｒｅｑｕｅｓｔ」を破棄することなく、かかる音声通信用の「Ｓｅｒｖｉｃｅ  Ｒｅｑｕｅｓｔ」に基づいて、ＵＭＴＳ方式の無線アクセスネットワーク内のセル或いはＬＴＥ方式の無線アクセスネットワーク内の異なるセルにおいて「Ｓｅｒｖｉｃｅ  Ｒｅｑｕｅｓｔ」を送信する。
【００５４】
本実施形態に係る移動通信システムによれば、「Ｄｅｐｒｉｏｒｉｔｉｚａｔｉｏｎ」の機能において、「Ｓｅｒｖｉｃｅ  Ｒｅｑｕｅｓｔ」を継続すべきか否かについて判断することができる。
【００５５】
以上に述べた本実施形態の特徴は、以下のように表現されていてもよい。
【００５６】
本実施形態の第１の特徴は、ＡＳ機能１１及びＮＡＳ機能１２を具備する移動局ＵＥであって、ＡＳ機能１１は、ＮＡＳ機能１２から受信した音声通信又はデータ通信用の「Ｓｅｒｖｉｃｅ  Ｒｅｑｕｅｓｔ（サービス要求）」に応じて、無線基地局ｅＮＢとの間で「ＲＲＣ  Ｃｏｎｎｅｃｔｉｏｎ  Ｅｓｔａｂｌｉｓｈｍｅｎｔ手順（コネクション設定手順）」を行うように構成されており、ＮＡＳ機能１２は、ＡＳ機能１１における「ＲＲＣ  Ｃｏｎｎｅｃｔｉｏｎ  Ｅｓｔａｂｌｉｓｈｍｅｎｔ手順」において、「ＲＲＣ  Ｃｏｎｎｅｃｔｉｏｎ  Ｒｅｊｅｃｔ（コネクション設定拒否信号）を受信し、セル再選択手順の結果として、他の無線アクセスネットワークへのセル変更が行われた場合には、上述の音声通信用の「Ｓｅｒｖｉｃｅ  Ｒｅｑｕｅｓｔ」を継続するように構成されていることを要旨とする。
【００５７】
本実施形態の第１の特徴において、ＮＡＳ機能１２は、ＡＳ機能１１における「ＲＲＣ  Ｃｏｎｎｅｃｔｉｏｎ  Ｅｓｔａｂｌｉｓｈｍｅｎｔ手順」において、「ＲＲＣ  Ｃｏｎｎｅｃｔｉｏｎ  Ｒｅｊｅｃｔ（コネクション設定拒否信号）」を受信し、セル再選択手順の結果として、他の無線アクセスネットワークへのセル変更が行われた場合には、上述のデータ通信用の「Ｓｅｒｖｉｃｅ  Ｒｅｑｕｅｓｔ」を継続しないように構成されていてもよい。
【００５８】
本実施形態の第２の特徴は、ＡＳ機能１１及びＮＡＳ機能１２を具備する移動局ＵＥであって、ＡＳ機能１１は、ＮＡＳ機能１２から受信した音声通信又はデータ通信用の「Ｓｅｒｖｉｃｅ  Ｒｅｑｕｅｓｔ」に応じて、無線基地局ｅＮＢとの間で「ＲＲＣ  Ｃｏｎｎｅｃｔｉｏｎ  Ｅｓｔａｂｌｉｓｈｍｅｎｔ手順」を行うように構成されており、ＮＡＳ機能１２は、ＡＳ機能１１における「ＲＲＣ  Ｃｏｎｎｅｃｔｉｏｎ  Ｅｓｔａｂｌｉｓｈｍｅｎｔ手順」において、「ＲＲＣ  Ｃｏｎｎｅｃｔｉｏｎ  Ｒｅｊｅｃｔを受信し、セル再選択手順の結果として、セル変更が行われた場合には、上述の音声通信用の「Ｓｅｒｖｉｃｅ  Ｒｅｑｕｅｓｔ」を継続するように構成されていることを要旨とする。
【００５９】
本実施形態の第２の特徴において、ＮＡＳ機能１２は、ＡＳ機能１１における「ＲＲＣ  Ｃｏｎｎｅｃｔｉｏｎ  Ｅｓｔａｂｌｉｓｈｍｅｎｔ手順」において、「ＲＲＣ  Ｃｏｎｎｅｃｔｉｏｎ  Ｒｅｊｅｃｔを受信し、セル再選択手順の結果として、セル変更が行われた場合には、上述のデータ通信用の「Ｓｅｒｖｉｃｅ  Ｒｅｑｕｅｓｔ」を継続しないように構成されていてもよい。
【００６０】
本実施形態の第３の特徴は、ＡＳ機能１１及びＮＡＳ機能１２を具備する移動局ＵＥであって、ＡＳ機能１１は、ＮＡＳ機能１２から受信した「Ｓｅｒｖｉｃｅ  Ｒｅｑｕｅｓｔ」に応じて、無線基地局ｅＮＢとの間で「ＲＲＣ  Ｃｏｎｎｅｃｔｉｏｎ  Ｅｓｔａｂｌｉｓｈｍｅｎｔ手順」を行うように構成されており、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ｃｕｒｒｅｎｔ  ｆｒｅｑｕｅｎｃｙ）」を受信した場合、すなわち、無線基地局ｅＮＢによって現在の周波数の優先順位を下げるように指示された場合、ＮＡＳ機能１２は、上述の「Ｓｅｒｖｉｃｅ  Ｒｅｑｕｅｓｔ」を継続しないように構成されていることを要旨とする。
【００６１】
本実施形態の第４の特徴は、ＡＳ機能１１及びＮＡＳ機能１２を具備する移動局ＵＥであって、ＡＳ機能１１は、ＮＡＳ機能１２から受信した音声通信又はデータ通信用の「Ｓｅｒｖｉｃｅ  Ｒｅｑｕｅｓｔ」に応じて、無線基地局ｅＮＢとの間で「ＲＲＣ  Ｃｏｎｎｅｃｔｉｏｎ  Ｅｓｔａｂｌｉｓｈｍｅｎｔ手順」を行うように構成されており、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ＲＡＴ：ＬＴＥ）」を受信した場合、すなわち、無線基地局ｅＮＢによって現在の無線アクセスネットワークの全ての周波数の再選択優先度を下げるように指示された場合、ＮＡＳ機能１２は、上述の「Ｓｅｒｖｉｃｅ  Ｒｅｑｕｅｓｔ」を継続しないように構成されていることを要旨とする。
【００６２】
本実施形態の第４の特徴において、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ＲＡＴ：ＬＴＥ）」を受信した場合、すなわち、無線基地局ｅＮＢによって現在の無線アクセスネットワークの全ての周波数の再選択優先度を下げるように指示された場合、ＮＡＳ機能１２は、上述のデータ通信用の「Ｓｅｒｖｉｃｅ  Ｒｅｑｕｅｓｔ」を継続しないように構成されていてもよい。
【００６３】
本実施形態の第５の特徴は、ＡＳ機能１１及びＮＡＳ機能１２を具備する移動局ＵＥであって、ＡＳ機能１１は、ＮＡＳ機能１２から受信した音声通信又はデータ通信用の「Ｓｅｒｖｉｃｅ  Ｒｅｑｕｅｓｔ」に応じて、無線基地局ｅＮＢとの間で「ＲＲＣ  Ｃｏｎｎｅｃｔｉｏｎ  Ｅｓｔａｂｌｉｓｈｍｅｎｔ手順」を行うように構成されており、ＡＳ機能１１が、「ＲＲＣ  Ｃｏｎｎｅｃｔｉｏｎ  Ｅｓｔａｂｌｉｓｈｍｅｎｔ手順」において、無線基地局ｅＮＢから「Ｄｅｐｒｉｏｒｉｔｉｚａｔｉｏｎ（ｃｕｒｒｅｎｔ  ｆｒｅｑｕｅｎｃｙ）」又は「Ｄｅｐｒｉｏｒｉｔｉｚａｔｉｏｎ（ＲＡＴ：ＬＴＥ）」を受信した場合、すなわち、無線基地局ｅＮＢによって現在の周波数又は現在の無線アクセスネットワークの全ての周波数の再選択優先度を下げるように指示された場合、ＮＡＳ機能１２は、上述の「Ｓｅｒｖｉｃｅ  Ｒｅｑｕｅｓｔ」を継続するように構成されていることを要旨とする。
【００６４】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＵＥ…移動局
ｅＮＢ…無線基地局
１１…ＡＳ機能
１２…ＮＡＳ機能
【図１】
2014138396.tif 000003
【図２】
2014138396.tif 000004
【図３】
2014138396.tif 000005
【図４】
2014138396.tif 000006
【図５】
2014138396.tif 000007
【図６】
2014138396.tif 000008
【図７】
2014138396.tif 000009